(57)【要約】【課題】輸液容器の姿勢や形状の変化に関わらず、高い熱交換率で液体の温度を安定に保つ。【解決手段】輸液を貯留する樹脂材料からなる輸液貯留部１１と、輸液貯留部１１に貯留されている輸液を外部に排出可能な輸液口金１３とを有する輸液容器１０と、輸液貯留部１１の周囲を囲み輸液貯留部１１の周囲に空間部Ｓを形成する筐体２１と、外部から空間部Ｓに液体熱媒体を供給させる供給口金２３と、空間部Ｓから外部に液体熱媒体を排出させる排出口金２５と有する加温容器２０とを備え、輸液口金１３が、加温容器２０の筐体２１を貫通して外部に露出して配置されている輸液温調デバイス１を提供する。【選択図】図１
2013009834.tif 000002
【特許請求の範囲】
【請求項１】
輸液を貯留する樹脂材料からなる輸液貯留部と、該輸液貯留部に貯留されている輸液を外部に排出可能な輸液排出口金とを有する輸液容器と、
前記輸液貯留部の周囲を囲み該輸液貯留部の周囲に空間部を形成する筐体と、外部から前記空間部に液体熱媒体を供給させる媒体供給口金と、前記空間部から外部に前記液体熱媒体を排出させる媒体排出口金と有する外側容器とを備え、
前記輸液排出口金が、前記外側容器の前記筐体を貫通して外部に露出して配置されている輸液温調デバイス。
【請求項２】
前記輸液容器が、前記輸液貯留部を貫通して前記空間部に流通する貫通孔を有する請求項１に記載の輸液温調デバイス。
【請求項３】
前記貫通孔が、螺旋形状を有する請求項２に記載の輸液温調デバイス。
【請求項４】
前記輸液容器が、前記輸液貯留部の外表面および内表面の少なくとも一方に凹凸を有する請求項１から請求項３のいずれかに記載の輸液温調デバイス。
【請求項５】
前記輸液貯留部が、湾曲して内側と外側に凹凸する壁面を有する請求項１から請求項４のいずれかに記載の輸液温調デバイス。
【請求項６】
前記外側容器が、前記空間部内に供給される前記液体熱媒体を流動させる流路を形成する流路形成部材を有する請求項１から請求項５のいずれかに記載の輸液温調デバイス。
【請求項７】
前記外側容器が、前記媒体排出口金を鉛直方向上方に向けた姿勢で吊り下げ支持可能な支持部を備える請求項１から請求項６のいずれかに記載の輸液温調デバイス。
【請求項８】
請求項１から請求項７のいずれかに記載の輸液温調デバイスと、
該輸液温調デバイスに前記液体熱媒体を供給する熱媒体供給装置とを備え、
該熱媒体供給装置が、前記液体熱媒体の温度を調整する温度調整部と、
該温度調整部により調整された前記液体熱媒体の温度を測定する温度測定部と、
前記媒体供給口金および前記媒体排出口金に接続され、前記液体熱媒体が流動する媒体配管と、
該媒体配管および前記空間部内に前記液体熱媒体を循環させるポンプ部とを備える輸液温調デバイスとを備える輸液温調システム。
【請求項９】
前記熱媒体供給装置が、前記媒体配管に設けられ開放可能なエア抜き機構を備える請求項８に記載の輸液温調システム。
【請求項１０】
前記熱媒体供給装置が、前記輸液貯留部の容量以上の容量を有し前記液体熱媒体を貯留するバッファタンクを備える請求項８または請求項９に記載の輸液温調システム。
【発明の詳細な説明】
【技術分野】
【０００１】
本発明は、輸液温調デバイスおよび輸液温調システムに関するものである。
【背景技術】
【０００２】
従来、浄化処理等して患者に戻される血液とともに患者に注入される透析液や補充液等の輸液を患者の体温付近の温度まで加熱する加温装置が知られている（例えば、特許文献１参照。）。特許文献１に記載の加温装置は、加温面部どうしが互いに対向して配置された状態で鉛直方向から所定の角度傾けて配置された２つの支持部材と、これら支持部材の加温面部どうしの間に挟まれるように配置され、輸液が収容された樹脂性の輸液容器とを備え、輸液容器内の輸液に対して２つの加温面部により２方向から熱伝達を行うようになっている。
【先行技術文献】
【特許文献】
【０００３】
【特許文献１】特開２００９−５６２８６号公報
【発明の概要】
【発明が解決しようとする課題】
【０００４】
しかしながら、特許文献１に記載の加温装置は、輸液容器の姿勢が変化したり内容量が変動して形状が変化したりすると、加温面部と輸液容器との接触が面接触から線接触あるいは点接触になり、接触面積が著しく減少することとなる。そのため、熱交換効率が安定しないという問題がある。また、特許文献１に記載の加温装置は、固体（金属）の加温面部から固体（樹脂）の輸液容器へ熱伝達させるものであるため、熱交換効率が極めて低いという問題がある。そして、このような問題から、特許文献１に記載の加温装置は、輸液容器内の輸液を一様に加温することができず、輸液の温度が安定しないといった現象を発生させる懸念がある。
【０００５】
本発明は上述した事情に鑑みてなされたものであって、輸液容器の姿勢や形状の変化に関わらず、高い熱交換率で輸液の温度を安定に保つことができる輸液温調デバイスおよび輸液温調システムを提供することを目的としている。
【課題を解決するための手段】
【０００６】
上記目的を達成するために、本発明は以下の手段を提供する。
本発明は、輸液を貯留する樹脂材料からなる輸液貯留部と、該輸液貯留部に貯留されている輸液を外部に排出可能な輸液排出口金とを有する輸液容器と、前記輸液貯留部の周囲を囲み該輸液貯留部の周囲に空間部を形成する筐体と、外部から前記空間部に液体熱媒体を供給させる媒体供給口金と、前記空間部から外部に前記液体熱媒体を排出させる媒体排出口金と有する外側容器とを備え、前記輸液排出口金が、前記外側容器の前記筐体を貫通して外部に露出して配置されている輸液温調デバイスを提供する。
【０００７】
本発明によれば、外部から媒体供給口金を介して外側容器に液体熱媒体が供給されると、その液体熱媒体が筐体内の空間部に流通されて媒体排出口金を介して外部に排出される。したがって、輸液よりも温度が高い液体熱媒体を供給することで、液体熱媒体が筐体内の空間部を流動する間に、輸液容器の輸液貯留部に貯留されている輸液に液体熱媒体の熱を伝達させ、輸液を加温することができる。これにより、輸液容器内で加温された輸液を輸液排出口金を介して外部に排出することができる。一方、輸液よりも温度が低い液体熱媒体を供給することで、液体熱媒体が筐体内の空間部を流動する間に、輸液容器の輸液貯留部に貯留されている輸液に液体熱媒体の熱を伝達させ、輸液を冷却することができる。これにより、輸液容器内で冷却された輸液を輸液排出口金を介して外部に排出することができる。
【０００８】
この場合において、輸液貯留部の周囲に形成された空間部内に液体熱媒体を流通させることで、周囲全体から液体熱媒体の熱を輸液に伝達させ、輸液の内容量変化に伴い輸液貯留部の姿勢や形状が変化しても、輸液を略一様に加温または冷却することができる。したがって、輸液容器の姿勢や形状の変化に関わらず、高い熱交換率で輸液の温度を安定に保つことができる。
【０００９】
上記発明においては、前記輸液容器が、前記輸液貯留部を貫通して前記空間部に流通する貫通孔を有することとしてもよい。
このように構成することで、液体熱媒体と輸液との間の熱伝達面積を増大し、輸液の加温時間または冷却時間を短縮するとともに、輸液をより均等に加温または冷却することができる。
【００１０】
また、上記発明においては、前記貫通孔が、螺旋形状を有することとしてもよい。
このように構成することで、液体熱媒体と輸液との間の熱伝達面積をより効果的に増大させることができる。
【００１１】
また、上記発明においては、前記輸液容器が、前記輸液貯留部の外表面および内表面の少なくとも一方に凹凸を有することとしてもよい。
このように構成することで、輸液貯留部の外表面と液体熱媒体との接触面積または輸液貯留部の内表面と輸液との接触面積を増大し、輸液貯留部の壁面を介して伝達される液体熱媒体と輸液との間の熱の伝達効率を増大することができる。
【００１２】
また、上記発明においては、前記輸液貯留部が、湾曲して内側と外側に凹凸する壁面を有することとしてもよい。
このように構成することで、輸液貯留部の壁面と液体熱媒体および輸液との接触面積を増大することができる。また、輸液貯留部の壁面の凹凸に沿って、輸液貯留部内の輸液全体と熱伝達面との距離を近付け、輸液をより均等に加温または冷却するとともに加温時間または冷却時間を短縮することができる。
【００１３】
また、上記発明においては、前記外側容器が、前記空間部内に供給された前記液体熱媒体を流動させる流路を形成する流路形成部材を有することとしてもよい。
このように構成することで、空間部内で液体熱媒体が淀むのを抑制して流動させ易くすることができる。
【００１４】
また、上記発明においては、前記外側容器が、前記媒体排出口金を鉛直方向上方に向けた姿勢で吊り下げ支持可能な支持部を備えることとしてもよい。
外側容器の空間部内に液体熱媒体とともにエアが溜まってしまうと、熱交換効率が低下してしまう問題が生じ得る。外側容器に備えられた支持部により、媒体排出口金を鉛直方向上方に向けた姿勢で外側容器が吊り下げ支持されることで、液体熱媒体よりも比重の軽いエア（例えば、泡。）を外部に排出し易くすることができる。これにより、デバイス全体の熱交換効率を向上させることができる。
【００１５】
本発明は、上記いずれかの輸液温調デバイスと、該輸液温調デバイスに前記液体熱媒体を供給する熱媒体供給装置とを備え、該熱媒体供給装置が、前記液体熱媒体の温度を調整する温度調整部と、該温度調整部により調整された前記液体熱媒体の温度を測定する温度測定部と、前記媒体供給口金および前記媒体排出口金に接続され、前記液体熱媒体が流動する媒体配管と、該媒体配管および前記空間部内に前記液体熱媒体を循環させるポンプ部とを備える輸液温調デバイスとを備える輸液温調システムを提供する。
【００１６】
本発明によれば、ポンプ部により媒体配管と空間部内を循環させられる液体熱媒体が、温度調整部により温度調整され、温度測定部によりその温度が計測される。したがって、温度測定部により測定される温度が目的の温度になるように温度調整部の作動を制御することで、液体熱媒体とともに、輸液容器内の輸液の温度を所望の温度に制御することができる。
【００１７】
上記発明においては、前記熱媒体供給装置が、前記媒体配管に設けられ開放可能なエア抜き機構を備えることとしてもよい。
このように構成することで、エア抜き機構により、液体熱媒体に含まれる気泡を排出することができる。
【００１８】
また、上記発明においては、前記熱媒体供給装置が、前記輸液貯留部の容量以上の容量を有し前記液体熱媒体を貯留するバッファタンクを備えることとしてもよい。
このように構成することで、輸液容器内の輸液を輸液排出口金から排出することにより、輸液の減少による輸液貯留部の体積変化に伴い外側容器内に圧力変動が生じても、バッファタンクに貯留されている液体熱媒体を補給し、外側容器の圧力変動を緩和することができる。
【発明の効果】
【００１９】
本発明によれば、輸液容器の姿勢や形状の変化に関わらず、高い熱交換率で液体の温度を安定に保つことができるという効果を奏する。
【図面の簡単な説明】
【００２０】
【図１】本発明の一実施形態に係る輸液温調システムを示す概略構成図である。
【図２】本発明の一実施形態の一変形例に係る輸液温調システムを示す概略構成図である。
【図３】（ａ）は本発明の一実施形態の第１変形例に係る輸液温調デバイスを示す縦断面図であり、（ｂ）は（ａ）の矢視Ａから見た横断面図である。
【図４】（ａ）は第１変形例の別の変形例に係る輸液温調デバイスを示す縦断面図であり、（ｂ）は（ａ）の矢視Ｂから見た横断面図である。
【図５】（ａ）は本発明の一実施形態の第２変形例に係る輸液温調デバイスを示す縦断面図であり、（ｂ）は（ａ）の矢視Ｃから見た横断面図である。
【図６】（ａ）は本発明の一実施形態の第３変形例に係る輸液温調デバイスを示す縦断面図であり、（ｂ）は（ａ）の矢視Ｄから見た縦断面図である。
【発明を実施するための形態】
【００２１】
本発明の一実施形態に係る輸液温調デバイスおよび輸液温調システムについて、図面を参照して以下に説明する。
本実施形態に係る輸液温調システム１００は、例えば、図示しない血液洗浄装置や細胞処理装置に用いることができ、患者（図示しない）に注入する輸液を加温することができるようになっている。輸液温調システム１００を血液洗浄装置に用いる場合は、輸液として、例えば、透析液や患者の体内に戻す血液中の溶媒の減少を補うための補充液等が挙げられる。また、輸液温調システム１００を細胞処理装置に用いる場合は、輸液として、例えば、リンゲル液等が挙げられる。
【００２２】
この輸液温調システム１００は、図１に示すように、輸液を加温する輸液温調デバイス１と、輸液温調デバイス１に対して輸液を加温する熱媒体（液体熱媒体）を供給する熱媒体供給装置３とを備えている。熱媒体としては液体が用いられる。
【００２３】
輸液温調デバイス１は、輸液を収容する輸液容器１０と、直方体のボックス状に形成され、輸液容器１０を収容する加温容器（外側容器）２０とを備え、輸液容器１０と加温容器２０との２重構造を有している。
【００２４】
輸液容器１０は、輸液を貯留する輸液貯留部１１と、輸液貯留部１１内の輸液を外部に排出可能な輸液口金（輸液排出口金）１３とを備えている。
輸液貯留部１１は、例えば、樹脂材料からなり、比較的柔らかい袋状に形成されている。この輸液貯留部１１は、貯留する輸液の量により形状が変化するようになっている。
【００２５】
輸液口金１３は、輸液貯留部１１の底部に設けられている。この輸液口金１３は、加温容器２０を貫通し、先端が加温容器２０の外部に露出して配置されている。輸液口金１３には、輸液ポンプ１５を有する輸液配管１７が接続されている。輸液ポンプ１５の作動により、輸液貯留部１１内の輸液を輸液口金１３から輸液配管１７を介して外部に排出することができるようになっている。
【００２６】
加温容器２０は、輸液貯留部１１の周囲を囲み、輸液貯留部１１の周囲に空間部Ｓを形成する筐体２１と、熱媒体供給装置３から送られてくる熱媒体を空間部Ｓに供給させる供給口金２３と、空間部Ｓに供給された熱媒体を熱媒体供給装置３へ戻す排出口金２５と有している。
【００２７】
筐体２１の輸液貯留部１１との間に形成される空間部Ｓは、供給口金２３から供給され排出口金２５から排出される熱媒体が流通する流路として機能するようになっている。筐体２１には、輸液容器１０の輸液口金１３が貫通している。
【００２８】
供給口金２３は、筐体２１の側面における下方に配置され、排出口金２５は、筐体２１の上部に配置されている。これにより、熱媒体供給装置３から送られてくる熱媒体は供給口金２３を介して筐体２１の下部側から空間部Ｓに流入され、空間部Ｓ内に充満たされた熱媒体は排出口金２５を介して筐体２１の上部から排出されて熱媒体供給装置３に戻されるようになっている。
【００２９】
熱媒体供給装置３は、熱媒体を貯留するバッファタンク（バッファタンク、エア抜き機構）３１と、バッファタンク３１から送られてくる熱媒体を輸液温調デバイス１との間で循環させる媒体配管３３と、媒体配管３３内の熱媒体を流動させる媒体ポンプ３５と、媒体配管３３内の熱媒体の温度を調整するヒータ（温度調整部）３７と、ヒータ３７により調整された熱媒体の温度を測定する温度センサ（温度測定部）３９とを備えている。
【００３０】
バッファタンク３１は、媒体配管３３に接続されており、輸液貯留部１１の容量以上の容量を有している。また、バッファタンク３１は、上部が開放されており、熱媒体に含まれる気泡を外部に排出することができるようになっている。
【００３１】
媒体配管３３は、一端が加温容器２０の供給口金２３に接続され、他端が加温容器２０の排出口金２５に接続されている。
媒体ポンプ３５は、バッファタンク３１に貯留されている熱媒体を吸引して媒体配管３３内を流動させるようになっている。また、媒体ポンプ３５は、熱媒体を媒体配管３３の一端から供給口金２３を介して加温容器２０に供給する一方、加温容器２０から排出口金２５を介して媒体配管３３の他端から戻し、媒体配管３３と加温容器２０との間で熱媒体を循環させることができるようになっている。
【００３２】
次に、このように構成された輸液温調デバイス１および輸液温調システム１００の作用について説明する。
本実施形態に係る輸液温調デバイス１および輸液温調システム１００により輸液を加温するには、まず、熱媒体供給装置３の媒体ポンプ３５を作動させて、バッファタンク３１に貯留されている熱媒体を吸引して媒体配管３３内を流動させ、輸液が収容されている輸液温調デバイス１に供給する。
【００３３】
輸液温調デバイス１に供給される熱媒体は、媒体配管３３内を流動する際にヒータ３７の作動により加熱され、温度センサ３９の作動によりその温度が測定される。そして、熱媒体は、媒体配管３３の一端から加温容器２０の供給口金２３を介して筐体２１内に供給される。加温容器２０の筐体２１内に供給された熱媒体は、筐体２１の輸液貯留部１１との間の空間部Ｓを流通し、空間部Ｓ内に充満される。
【００３４】
筐体２１の空間部Ｓ内に充満された熱媒体は、加温容器２０の排出口金２５を介して排出され、熱媒体供給装置３の媒体配管３３の他端から戻される。このようにして、熱媒体供給装置３の媒体配管３３と輸液温調デバイス１の加温容器２０の空間部Ｓとの間で熱媒体が循環させられる。
【００３５】
したがって、輸液貯留部１１内の輸液よりも高い温度に加熱した熱媒体を加温容器２０の空間部Ｓ内に供給することで、熱媒体が筐体２１内の空間部Ｓを流通する間に、熱媒体の熱を輸液貯留部１１内の輸液に伝達させ、輸液を加温することができる。
【００３６】
輸液容器１０内で加温された輸液は、輸液ポンプ１５の作動により、輸液口金１３から輸液配管１７を介して外部に排出される。この場合において、輸液の減少による輸液貯留部１１の体積変化に伴い加温容器２０内に圧力変動が生じても、バッファタンク３１に貯留されている熱媒体を補給することで、加温容器２０の圧力変動を緩和することができる。
【００３７】
本実施形態に係る輸液温調デバイス１および輸液温調システム１００によれば、輸液貯留部１１の周囲に形成された空間部Ｓ内に液体の熱媒体を流通させることで、周囲全体から熱媒体の熱を輸液に伝達させることができる。また、空間部Ｓ内に熱媒体を充満させることで、輸液の内容量変化に伴い輸液貯留部１１の姿勢や形状が変化しても、輸液を略一様に加温することができる。そして、温度センサ３９により測定される熱媒体の温度が目的の温度になるようにヒータ３７の作動を制御することで、熱媒体とともに、輸液容器１０内の輸液の温度を所望の温度に加温することができる。したがって、輸液容器１０の姿勢や形状の変化に関わらず、高い熱交換率で輸液の温度を安定に保つことができる。
【００３８】
本実施形態においては、外側容器として加温容器２０を例示し、温度調整部としてヒータ３７を例示し、熱媒体供給装置３が輸液温調デバイス１に対して輸液を加温する液体熱媒体を供給し、輸液温調デバイス１が輸液を加温することとしたが、これに代えて、熱媒体供給装置３が輸液温調デバイス１に対して輸液を冷却する液体熱媒体を供給し、輸液温調デバイス１が輸液を冷却することとしてもよい。
【００３９】
これにより、熱媒体供給装置３の温度調整部によって輸液よりも低い温度に冷却した液体熱媒体を輸液温調デバイス１に供給し、熱媒体が外側容器内の空間部３０を流動する間に、輸液容器１０の輸液貯留部１１に貯留されている輸液に熱媒体の熱を伝達させ、輸液を冷却することができる。これにより、輸液容器１０内で冷却された輸液を輸液口金１３を介して外部に排出することができる。
【００４０】
また、本実施形態においては、例えば、図２に示すように、加温容器２０が、排出口金２５を鉛直方向上方に向けた姿勢で吊り下げ支持可能な支持部４１を備えることとしてもよい。支持部４１は、例えば、排出口金２５が設けられている筐体２１の上部に複数設けることとすればよい。同図においては、支持部４１は、筐体２１の上部の幅方向の両端付近にそれぞれ１つずつ配置されている。
【００４１】
加温容器２０の空間部３０内に熱媒体とともにエアが溜まってしまうと、熱交換効率が低下してしまう問題が生じ得る。加温容器２０に備えられた支持部４１により、排出口金２５を鉛直方向上方に向けた姿勢で加温容器２０を吊り下げ支持することで、熱媒体よりも比重の軽いエア（例えば、泡。）を排出口金２５から外部に排出し易くし、デバイス全体の熱交換効率を向上させることができる。
【００４２】
また、本実施形態においては、エア抜き機構としてバッファタンク３１を例示して説明したが、エア抜き機構をバッファタンク３１とは別個に設けることとしてもよい。この場合、エア抜き機構は、媒体配管３３に設け、開放可能にすることとすればよい。
【００４３】
本実施形態は、以下のように変形することができる。
第１変形例は、図３（ａ），（ｂ）に示すように、輸液容器１０が、輸液貯留部１１を貫通して空間部Ｓに流通する貫通孔１１ａを有することとしてもよい。貫通孔１１ａは、例えば、輸液貯留部１１の底部の中央付近を上部に向かって（上下方向に）貫通し、貫通方向に直交する断面（幅方向断面）が円形状に形成されていることとしてもよい。本変形例においては、排出口金２５が筐体２１の側面における上方に配置されている。
【００４４】
このようにすることで、空間部Ｓ内を流通する熱媒体の一部が貫通孔１１ａを流通することにより、熱媒体と輸液との間の熱伝達面積を増大するとともに、輸液貯留部１１内の輸液全体と熱伝達面との距離を近付けることができる。したがって、輸液をより均等に加温するとともに、輸液の加温時間を短縮することができる。
【００４５】
本変形例においては、図４（ａ），（ｂ）に示すように、貫通孔１１ａが螺旋形状を有することとしてもよい。
このようにすることで、貫通孔１１ａを流通する熱媒体と輸液との間の熱伝達面積をより効果的に増大させることができる。
【００４６】
また、第２の変形例は、例えば、図５（ａ），（ｂ）に示すように、輸液貯留部１１を構成する壁面１１ｂが、湾曲して内側と外側に凹凸していることとしてもよい。壁面１１ｂは、例えば、上下方向に交差する方向の断面が略矩形波状に湾曲し、内側に窪んだ凹状部および外側に突出した凸状部がそれぞれ輸液貯留部１１の上下方向に延びていることとしてもよい。
【００４７】
このようにすることで、輸液貯留部１１の壁面１１ｂと熱媒体および輸液との接触面積を増大することができる。また、輸液貯留部１１の壁面１１ｂの凹凸に沿って、輸液貯留部１１内の輸液全体と熱伝達面との距離を近付け、輸液をより均等に加温するとともに加温時間を短縮することができる。
本変形例においては、壁面１１ｂの上下方向に交差する方向の断面が略矩形波状に湾曲していることとしたが、壁面１１ｂの上下方向に交差する方向の断面が正弦波状に湾曲していることとしてもよい。
【００４８】
本変形例においては、輸液貯留部１１の壁面１１ｂ自体が湾曲していることとしたが、輸液貯留部１１の外表面および内表面の少なくとも一方が凹凸（図示略）を有することとしてもよい。外表面あるいは内表面の凹凸は、例えば、輸液貯留部１１の内側に向かって窪み輸液貯留部１１の上下方向に延びる溝によって形成されていることとしてもよい。
このようにすることで、輸液貯留部１１の外表面と熱媒体との接触面積または内表面と輸液との接触面積を増大し、熱媒体と輸液との間の熱伝達面積をより効果的に増大させることができる。
【００４９】
また、第３の変形例は、図６（ａ），（ｂ）に示すように、加温容器２０が、筐体２１の内側側面に、空間部Ｓ内に供給される熱媒体を流動させる流路を形成する複数のじゃま板（バッフルプレート）のような仕切り板（流路形成部材）１１ｃを有することとしてもよい。仕切り板１１ｃは、例えば、筐体２１の一対の対向する内側側面において、一方の内側側面から他方の内側側面に向かって空間部Ｓ内を筐体２１の幅方向に延び、他方の内側側面との間に熱媒体が流通可能な隙間を有することとすればよい。また、これらの仕切り板１１ｃは、筐体２１の上下方向に所定の間隔をあけて配置され、一方の内側側面と他方の内側側面とに交互に設けられることとすればよい。また、仕切り板１１ｃと他の一対の内側側面とは、前記他方の内側側面との間に設けられた熱媒体が流通可能な隙間部分を除いて接続されていることとすればよい。
【００５０】
このようにすることで、供給口金２３から空間部Ｓ内に供給された熱媒体は、仕切り板１１ｃにより形成される流路に沿って空間部Ｓ内を段階的に上部に向かって流動し、排出口金２５から排出させられる。したがって、空間部Ｓ内で熱媒体が淀むのを抑制して流動させ易くすることができる。また、筐体２１の幅方向における熱媒体の温度勾配を最小限にすることができる。
【００５１】
以上、本発明の実施形態について図面を参照して詳述してきたが、具体的な構成はこの実施形態に限られるものではなく、本発明の要旨を逸脱しない範囲の設計変更等も含まれる。例えば、本発明を上記一実施形態およびその変形例に適用したものに限定されることなく、これらの実施形態および変形例を適宜組み合わせた実施形態に適用してもよく、特に限定されるものではない。
【００５２】
また、上記一実施形態およびその変形性においては、輸液口金１３を輸液貯留部１１の底部に設けることとしたが、輸液口金１３を輸液貯留部１１の側面に設けることしてもよい。また、供給口金２３を筐体２１の上部に設け、排出口金２５を筐体２１の下部に設ける等、供給口金２３および排出口金２５を筐体２１の任意の位置に設けることとしてもよい。また、第１の変形例〜第３の変形例においても、筐体２１に支持部４１を設けることとし、筐体２１の上部となる位置に排出口金２５を配置して、支持部４１により排出口金２５を鉛直方向上方に向けた姿勢で加温容器２０を吊り下げ支持することとしてもよい。
【符号の説明】
【００５３】
１  輸液温調デバイス
３  熱媒体供給装置
１０  輸液容器
１１  輸液貯留部
１１ａ  貫通孔
１１ｂ  壁面
１１ｃ  仕切り板
１３  輸液口金（輸液排出口金）
２０  加温容器（外側容器）
２１  筐体
２３  供給口金（媒体供給口金）
２５  排出口金（媒体排出口金）
３１  バッファタンク（エア抜き機構、バッファタンク）
３３  媒体配管
３５  媒体ポンプ（ポンプ部）
３７  ヒータ（温度調整部）
３９  温度センサ（温度測定部）
４１  支持部
１００  輸液温調システム
【図１】
2013009834.tif 000003
【図２】
2013009834.tif 000004
【図３】
2013009834.tif 000005
【図４】
2013009834.tif 000006
【図５】
2013009834.tif 000007
【図６】
2013009834.tif 000008